(57)【要約】  本発明によると、複数の位置において土台に取り付け可能なブレース付きフレームを備える液体保持装置が提供され、前記装置はベース部分と少なくとも１つの直立支持体とを備え、前記ブレースは、前記フレームの高さを調整するための高さ調整手段をさらに備え、前記装置は、前記フレームによって支持されるフェースをさらに備え、前記フェースは、少なくとも１つの直立支持体にある角度をなして傾けられ、前記フェースは、少なくとも１枚の分離可能なマットによって覆われる。【選択図】図１
2015535040.tif 000002
【特許請求の範囲】
【請求項１】
自由流動性物質の移動を抑えるための保持装置において、
流動性物質の自由移動を抑えるための壁を提供するフェース部分８と、
自由流動性物質によって前記フェース部分８に加えられる力に対して前記フェース部分８を支えるための長さ調整可能な傾斜部４とを備え、
前記フェース部分８は、基礎アンカー２上に取り付けられるベース９に実質的に直交して連結されて、前記ベース９に対する高さを調整可能であり、
前記傾斜部４は、ヒンジ６、７０によって前記フェース部分と前記ベースとの間に回動可能に連結され、前記フェース部分の高さが調整されると、ブレースが回動し、前記長さは前記フェース部分の調整された高さに対応するように調整される、ことを特徴とする保持装置。
【請求項２】
請求項１に記載の保持装置において、
前記フェース部分８の前記基礎アンカー２に対する相対的な高さおよび向きを調整するための高さ調整手段２０１を備える、ことを特徴とする保持装置。
【請求項３】
請求項２に記載の保持装置において、
前記高さ調整手段２０１は、前記ベース９を前記基礎アンカー２に連結するねじジャッキである、ことを特徴とする保持装置。
【請求項４】
請求項１に記載の保持装置において、
前記フェース部分８は、
前記ベース９に固定される底部水平棒２２と、
前記底部水平棒２２と実質的に平行に調整される上部水平棒２３と、
直立支持体の長さを調整することによって前記フェース部分８の高さを調整可能とするように、長さ調整可能で、前記上部水平棒２３と前記底部水平棒との間に連結される前記直立支持体２０、４０を備える側面とを備える、ことを特徴とする保持装置。
【請求項５】
請求項１に記載の保持装置において、
液体および自由な物質に対する壁として好適な防壁５を備え、
前記フェース部分８は、前記防壁５を受け入れて支持するためのチャネル５０を備える、ことを特徴とする保持装置。
【請求項６】
請求項５に記載の保持装置において、前記防壁５は薄板からなることを特徴とする保持装置。
【請求項７】
請求項１に記載の保持装置において、
前記フェース部分８は、可撓性があり、伸縮継手に好適であるカバー１４の端部を握持する手段１８を備える側面を有する、ことを特徴とする保持装置。
【請求項８】
請求項１に記載の保持装置において、
前記フェース部分８は、マット７と、液体および自由な物質に対する壁として好適なカーテンとして前記マット７を懸架する前記フェース部分８の上部の近くに、懸架手段１１とを備える、ことを特徴とする保持装置。
【請求項９】
請求項１乃至８の何れか１項に記載の複数の保持装置を備えるシステムにおいて、
各保持装置の前記フェース部分８は、隣接したフェース部分の側面に、実質的に平行に配置されて、結合される側面を有する、ことを特徴とするシステム。
【請求項１０】
請求項９に記載のシステムにおいて、
各保持装置は、隣接したフェース部分の側面と実質的に平行な側面を配置するように、前記側面の相対的な向きを前記基礎アンカー２に対して調整するための高さ調整手段２０１を備える、ことを特徴とするシステム。
【請求項１１】
請求項９に記載のシステムにおいて、
前記隣接したフェース部分の側面は、間隙２５によって分離されて、前記間隙２５をカバーする可撓性シートの形態でカバー１４を備える伸縮継手によって結合される、ことを特徴とするシステム。
【請求項１２】
請求項９に記載のシステムにおいて、
いくつかの前記隣接したフェース部分８は、前記結合された実質的に平行なフェース部分の幅で壁の実質的に直線の部分を形成するように、互いに実質的に平行に配置され、
その他の隣接したフェース部分は、直線でない壁の部分を形成するように、それぞれに非平行に配置される、ことを特徴とするシステム。
【請求項１３】
請求項９に記載のシステムにおいて、
前記隣接したフェース部分８は、貯蔵タンクとしての使用に好適な囲いを形成するように配置される、ことを特徴とするシステム。
【請求項１４】
説明および図によって示される保持装置およびシステム。
【発明の詳細な説明】
【技術分野】
【０００１】
本発明は保持装置に関するものであり、より詳細には、それに限定するものではないが、溢水、川岸、池および貯蔵タンク、雪堤、ならびに土の堤防のための保持装置に関するものである。
【背景技術】
【０００２】
洪水は世界中の多くの場所にとって大きな危険である。特に、多くの住宅がすでに氾濫原に予め指定されている地域に建てられているとき、非常に危険な状態となる多くの特性が生成されることで、そこに多くの水が流入するであろう。
【０００３】
この天候に加えて、極端な状態とは、多くの場合、雨の氾濫などの先例のない事象がいくつかの場所で起こることを意味し、いくつかの研究は、このような出来事が世界で増加傾向にあることを示唆している。恒久的な浸水防止構造は必要ない場合もあるが、潜在的な危険を軽減することができるように、仮設構造物が必要である。
【０００４】
伝統的に土嚢は、信頼性の高い一時的な防壁を生成する一般的な手段である。しかし、これらに近づくことが制限されることがあり、また、利用可能な量が急な要求に対して十分でないことがある。また、川辺などのより広い地域を守らなければならない場合、このような手段は実用的ではないことがある。
【０００５】
防護壁などの恒久的な構造を所定の位置に配置してもよいが、このような手段は導入にコストがかかり、一般的に、例年と異なる洪水の危険などの潜在的な危険のために必要とされるのではなく、繰り返される既知の危険のためにのみ必要とされる。
【０００６】
本発明により、防水システムと関連する問題を解決するが、それは現場で調整できる仮設の簡単に構築できる防壁を提供することによって実現する。
【０００７】
したがって、この問題または同様の問題を解決するために、以下のものを含む多数の特許申請書が出願されている。
【０００８】
独国特許第１０２００８００９５１９号明細書（ＫＥＳＳＥＬＳら）は防壁、すなわち防水壁を開示しており、それは、防壁の長手方向に互いに分散して間隔をあけて配置される複数の柱を有し、柱は可撓防水膜を支持する。柱は地表に固定される。膜は防壁の全長にわたる端部ストリップを有する。端部ストリップは、シール状に、および負荷を支持するように地面に取り付けられる。柱は防水膜に固定的に連結され、回転可能および関節式に、旋回軸まわりに地面に固定される。膜は、プラスチック、または、スチレンブタジエンゴム（ＳＢＲ）およびエチレンプロピレンジエンＭクラスゴムなどの天然ゴム材料から作られ、補強充填剤は、ガラスファイバー、プラスチック繊維、または金属線を含有する。
【０００９】
英国特許第２４２３１１０号明細書（ＤＵＲＲＡＮＣＥ）は洪水防御壁を開示しており、それは、溢水に面する凸面と建築物の内部に面する凹面とを有する本体と、本体にその前縁で結合されて、建築物の内部に向かう方向に本体から伸長するフランジ状のベースとを備え、凸面は一対の一般に平行な側縁に囲まれる。
【００１０】
米国特許第７９９７８２８号明細書（ＲＩＪＬＡＡＲＳＤＡＭ）は擁壁装置を開示しており、それは、少なくとも第１の擁壁部材とその支持体とを備え、第１の擁壁部材および支持体は、それぞれ、擁壁の長手方向に伸長する第１および第２の長手方向の端部を有し、長手方向の端部は、長手方向の端部に平行な１つまたは複数の軸まわりの傾斜または回転運動による互いに連結のために形成され、第１の擁壁部材の第１の長手方向の端部の反対側にある長手方向の端部は、傾斜または回転運動による連結のための第２の長手方向の端部に少なくとも部分的に対応して、設計される。
【００１１】
独国特許第３５２７１００号明細書（ＤＥＲ  ＥＲＦＩＮＤＥＲ）は、高潮に対する防護装置を開示しており、それは、地面に固定される支持フレームと、高潮をせき止める少なくとも１つの可撓性材料ウェブとからなり、可撓性材料ウェブはその長手方向の側面のそれぞれにシールストリップを有し、不透水性のプラスチック被覆でコーティングされる。このコーティングされた材料ウェブは、プラスチックまたは弾性材の層が設けられる織布または不織布からなり、長手方向および／または横断方向に、少なくとも１００ｄａＮの引裂伝ぱ抵抗、および少なくとも６００ｄａＮ／５ｃｍの最大張力を有する。これらの高い値の結果、端部の折り曲げ、それによる集中荷重の形成を効率的に抑制できる。
【００１２】
独国特許第１０２００８００９５１９号明細書（Ｆｌｏｅｃｋｓｍｕｃｈｌｅ  Ｅｎｅｒｇｉｅｔｅｃｈｎｉｋ）は洪水壁に関するものである。それは膜と支持構造体とを備え、洪水壁は可搬式であり、支持構造体は地面に恒久的に取り付けることも可能である。
【００１３】
独国特許出願公開第３５２７２１００号明細書（Ｍｅｈｌｅｒ）は、満潮に対する防護手段に関するものであり、材料の保水可撓ウェブを有する地表の固定された足場を備える。
【発明の概要】
【００１４】
対照的に本発明は、特に溢水の移動を防止する頑丈で信頼性が高く適合できる手段を提供する。
【００１５】
本発明により、自由流動性物質の移動を抑えるための保持装置が提供され、保持装置は流動性物質の自由移動を抑えるための壁を提供するフェース部分と、自由流動性物質によりフェース部分に加えられる力に対してフェース部分を支えるための長さ調整可能な傾斜部とを備え、フェース部分は、アンカーボルト上に取り付けられるベースに実質的に直交して連結されて、ベースに対する高さを調整可能であり、傾斜部はヒンジでフェース部分とベースとの間に回動可能に連結されており、フェース部分の高さが調整されると、ブレースが回動し、長さはフェース部分の調整された高さに対応するように調整される。
【００１６】
好ましくは、保持装置は複数の位置において土台に取り付け可能なブレース付きフレームを備え、前記装置はベース部分と少なくとも１つの直立支持体とを備え、前記ブレースは、前記フレームの高さを調整するための高さ調整手段をさらに備え、前記装置は、前記フレームによって支持されるフェースをさらに備え、前記フェースは、少なくとも１つの直立支持体にある角度をなして傾けられ、前記フェースは、最低１枚の分離可能なマットによって覆われる。
【００１７】
好ましくは、フェース部分は、マットと、液体およびその他の自由流動性物質に対する壁として好適なカーテンとしてマットを懸架するフェース部分の上部の近くに、懸架手段とを備える。好ましくは、マットは懸架手段によってフェース部分に取り付け可能であり、懸架手段はマットをフェース部分から取り外すことも可能である。
【００１８】
より詳細には、装置は、
各フレームが少なくとも１つの防壁を受け入れるように配置される、複数の調整可能なフレームと、
フレーム内に取り付けるように配置され、使用中に地面に伸長するように配置される少なくとも１つの防壁と、
少なくとも１つの防壁および複数のフレームを支持する少なくとも１つの調整可能なブレースと、
使用中にフレームを地面に固定するように配置される複数の土台と、
少なくとも１枚の伸長可能なマットと、
少なくとも１枚の伸長可能なマットをフレームに固定するように配置される複数のクランプとを備えるシステムの一部を形成し、
少なくとも１つのフレームは、ヒンジによって別のフレームに相互に連結するように配置される。
【００１９】
好ましい実施形態において、土台は、地面に打ち込まれるまたはねじ止めされるスパイクである。好ましくは、土台はセルフタッピングのねじ山またはオーガであり、コンクリートまたは同様の据付けソリューションの必要なしに確実な接地をフレームに提供するように、地面に穴をあけることができる。このような易者はねじ止めされ、地面を取り除き、かためて、および／またはつかむために理想的に設計されており、結果的に、傾くことも水平に動くこともしにくい堅固な垂直の土台を提供する。
【００２０】
地面が岩などの硬質固形物から形成されるような他の実施形態において、土台の挿入の前にあらかじめ穴をあけておいてもよい。
【００２１】
最も好ましくは、フレームは正方形または長方形のベース部分を有する。土台は各隅に含まれてもよい。土台の寸法は、装置寸法および、維持または保持される液体の潜在的な量に比例することが予想される。
【００２２】
理想的には、各土台は、土台が地面に配置されるとフレームに固定されるブラケットを含み、少なくとも１つ、好ましくは２つの取付け手段、たとえばねじまたはピンが、ブラケットをフレームに連結するために使用される。好ましくは、フレームは、取付け手段、たとえばねじまたはピンを受け入れるようにあらかじめあけられた穴を含んでもよい。
【００２３】
いくつかの実施形態において、ブラケットの複数のあらかじめあけられた穴がフレームによって提供されてもよく、使用中、土台が地面に配置されたあと、たとえば水位が上昇する場合に、ブラケットがブレースに取り付ける位置を変えることによって、フレームが調整されてもよい。
【００２４】
好ましい実施形態において、フレームは、一般に正方形または長方形の断面を有する。フレームは、ベース部分から伸長する直立支持体を有するベース部分を有してもよい。直立支持体は、一般に正方形または長方形のサポート部分を提供してもよい。フレームの高さ、たとえば直立支持体の高さは、予想される水位に対して適切な防水システムを提供するように調整可能でもよい。ジャッキングおよび／または伸縮可能部分が提供されてもよい。
【００２５】
好ましくは、フレームは金属などの強く、耐久性のある耐荷材、たとえば鋼から形成される。理想的には、金属は腐食を防止するように処理され、たとえば、フレームは亜鉛メッキされてもよい。
【００２６】
好ましい実施形態において、フレームは２つの層から形成され、たとえば、フレームの直立支持体は２つの層、前部支持体と後部支持体とから形成されてもよく、フレーム、たとえばフレームの直立支持体は、少なくとも防壁の一部を受け入れるように成形され、寸法取りされる少なくとも１つのチャネルを提供する。防壁はフレーム層の間に入れられてもよく、その場合、フレームは防壁を支持する。たとえば防壁の端部は、フレームの直立支持体により提供されるチャネルに入れられてもよく、その場合、フレームは防壁を支持する。一般的に、２つの層は同様または同一であり、互いに平行に結合されて、防壁を受け入れるためのスロットを有する。それによって、好ましい実施形態におけるフレームは、多層の、流水の調節に適応できる柔軟な配置が可能となり、装置および複数の前記装置によって、流れに対応して制限するように配置することができる。複数の組合せのフレームは、フレームの間でさえ水の流れを防止するように配置可能な部分によって、さらなる柔軟性を提供する。
【００２７】
理想的には、防壁は表層と裏層との間に収まる。防壁は好ましくは平坦で、フレームの高さを超え、地面にまで伸長し、それによって流体または溢水に対する構造強さを提供する。また、このような防壁は、フレームの間で使用されてもよい。
【００２８】
一般的に、防壁は強く、耐久性のある材料、たとえば高密度ポリエチレン（ＨＤＥＰ）などの合成プラスチック、シート材、ラルゼンパイル、または処理された木材から形成される。理想的には、防壁は、装置が耐水性または不透過性となるようにかみ合っている。好ましくは、防壁を溝形手段によって連結してもよく、それによって、防壁を層の間に互いに並べて入れることを可能とする。
【００２９】
防壁をフレームに挿入することにより、水の通過防止を支援する装置が生成される。いくつかの実施形態において、土台の溝形部分は、ゴムまたはシリコーンなどの弾性的に変形可能な材料を含んでもよく、それにより、水が進入する可能性が低減する。
【００３０】
好ましくは、フレームベース部分および直立支持体は、角筒部から構成される。これにより、フレームにはめ込んだときに、防壁をフレームと面一に取り付けることが可能となる。直立支持体の高さは、装置が保持する水の深さに応じて、高さ調整手段によって調整されてもよい。理想的には、フレーム直立支持体は、伸長および収縮してフレーム高さを変えることができるねじジャッキポールである。好ましくは、装置高さは、１ｍ以上および一般的には１３ｍ以下まで様々に調整可能である。
【００３１】
好ましい実施形態において、フレームは、装置がフェースで重量を支えることができるように、ブレースによって可変にまたは調節可能に支持される。好ましくは、ブレースは、フレームベースと平行に伸長する支柱を含み、支柱は、水平材をフレーム直立支持体またはフェースに結合するように傾斜部と協働し、それによって三角形配置を形成する。
【００３２】
理想的に、支柱はヒンジおよび／または三角形配置によって傾斜部に結合し、さらにまたは代案として、支柱およびその部分は両方とも調整可能であり、たとえば一般的にねじジャッキポールである。前記支柱および前記傾斜部には、構造的に強化された内部または外部ねじ山調整手段が、理想的には提供される。
【００３３】
理想的には、ブレースは、追加の部分を必要とすることなく、調整されるブレースおよびフレームの寸法を可能とするブレースの耐荷重性を向上させるように働く応力負担部分を含む。
【００３４】
好ましくは、このような応力負担部分は、使用中、逆三角形または三角形の配置であり、フレーム直立支持体またはフェースと傾斜部との間に配置され、一般的にブレースを形成するように支柱と連結する。応力負担部分は、支柱および傾斜部から通じる２つの重量負担板を有し、三角形を形成および結合するために両方の板を結合するリンクによって、フレームおよびブレースを支持する。
【００３５】
有利には、フレームを調整または変形できるように、応力負担部分は調整可能でもよく、２つの板は、板の角度を変えられるように一緒に蝶番がつけられてもよい。変えられた角度に対応するために、第３のリンクは長さを調整可能であり、リンクは複数の設定を有し、長さは変えられた角度に合わせて変更できる。
【００３６】
一般的に、第３のリンクの長さは、第３のリンク上でリンクを板に取り付ける位置を変えることによって変化させてもよい。好ましくは、リンクは２つのストリップから形成され、板の両側に取り付けられる。ストリップは、軸の一端に固定して取り付けられて、ストリップの遠位端に取り外し可能に取り付けられてもよい。理想的には、各ストリップは、板側の開口で調整して、その後ピンで位置を保持できる複数の開口を含む。
【００３７】
好ましくは、傾斜部を受け入れる板だけは、傾斜部が常にプラットフォームに対して受け入れられる垂直であるが支柱が異なる高さにあることを許すように、調整可能である。
【００３８】
いくつかの実施形態において、応力負担部分は、さまざまな角度でブレースまたはブレースの残りを受け入れるように回動できるフレーム直立支持体に取り付けられるちょうつがい式のブロックでもよい。
【００３９】
応力負担部分の位置が変わってもよいことは予想される。たとえば、いくつかの実施形態において、応力負担部分は水平材と傾斜部との間に配置されてもよい。
【００４０】
好ましい実施形態において、フレーム直立支持体は、マットの開口内に受け入れられるように寸法が決められる複数の突出部を含んでもよい。マットは一般的に、壁フレームを覆うように寸法決めされる、好ましくは可撓性、耐久性のある特に丈夫なゴムシートであり、それによって、装置またはフレーム上に連続的なシールドを提供する。
【００４１】
マットの開口により、マットをフレームの突出部上に配置して、シールドを形成するように装置上に懸下することが可能となる。突出部上の所定の位置にマットを保持し、マットが持ち上がることを防止する、突出部にねじ止めできるキャップまたは断面ボルトなどの保持システムがあってもよいことが予想される。
【００４２】
好ましくは、フレームは、所定の位置にあるパイルの保持を支援するクランプも収容してもよく、また、フレーム長さに沿って二次的な可撓性カバーを受け入れ、カバーの持ち上がりを防止する働きをしてもよい。特に、１つのフレームが、隅を生成する別のフレームに結合されてもよい場所で、クランプは、水密シールを生成するように、カバーを形づくり、そのように固定してもよい。
【００４３】
理想的には、１つのカバーは、フレーム高さが増加する場合にマットの長さを増加させるように、別のカバーの遠位に取り付けてもよい。カバーは、長さを増加させるために、１枚のマットを別のマットに、近くでまたは並列に結合するように、舌部および溝付きの領域を含んでもよいことは予想される。
【００４４】
好ましくは、保持装置は、基礎アンカーに対するフェース部分の相対的な高さおよび向きを調整するための高さ調整手段を備える。理想的には、高さ調整手段は、ベースを基礎アンカーに連結するねじジャッキである。
【００４５】
好ましくは、フェース部分はベースに固定される底部水平棒と、底部水平棒と実質的に平行に並べられる上部水平棒と、直立支持体の長さを調整することによってフェース部分高さを調整可能にするように、調整可能な長さで、上部水平棒と底部水平棒との間に連結される直立支持体を備える側面とを備える。
【００４６】
好ましくは、保持装置は、液体および自由な物質に対する壁として好適な防壁を備え、フェース部分は、防壁を受け入れて支持するためのチャネルを備える。理想的には、防壁は、薄板、またはウェッビング、または固体板、または保持される自由流動性物質に好適なその他の防壁からなる。たとえば、自由流動性物質が液体である場合、防壁は好ましくは液体に対して不透過性であり、自由流動性物質が柔らかい泥である場合、防壁は好ましくは柔らかい泥を保持できるものである。
【００４７】
好ましくは、フェース部分は、可撓で伸縮継手に好適であるカバーの端部を握持するための手段を備える側面を有する。
【００４８】
好ましくは、１つのフレームはヒンジによって別のフレームに結合し、それによって、たとえば河川堤防にわたる複数の保持装置を備えるより長い装置またはシステムの作成を可能にしてもよく、伸長可能な板がフレーム間の間隙にまたがってもよい。あるいは、装置は、水を保持するための閉じたユニット、たとえば池またはプールを形成するように、角度を持って連結されてもよい。
【００４９】
理想的には、複数の保持装置を備えるシステムが配置され、各保持装置のフェース部分は、隣接したフェース部分の側面に実質的に平行に配置されて結合される側面を有する。好ましくは、各保持装置は、隣接したフェース部分の側面と実質的に平行な側面を配置するように、基礎アンカーに対する側面の相対的な向きを調整するための高さ調整手段を備える。理想的には、隣接したフェース部分の側面は間隙によって分離され、側面は間隙を覆う可撓性シートの形態のカバーを備える伸縮継手によって結合される。
【００５０】
有利には、システムは、互いを実質的に平行に配置したとき、結合された実質的に平行なフェース部分の幅を有する壁の実質的に直線の部分を形成する隣接したフェース部分を備えてもよい。有利には、また、実質的に直線の壁を備える同じシステムが、直線でない壁の部分を形成するようにそれぞれに非平行に配置されるその他の隣接したフェース部分を備えてもよい。
【００５１】
有利には、保持装置のシステムは、貯蔵タンクとしての使用に好適な囲いを形成するように配置される隣接したフェース部分を配置してもよい。
【００５２】
システムは、阻止する水量に応じて多数の寸法で利用可能でもよいことは予想される。理想的には、すべての部分は、システムが使用されてもよい状況および／または場所に対応するように拡大または縮小されてもよい。
【図面の簡単な説明】
【００５３】
【図１】図１は、後方からの装置の好ましい実施形態の等角図を示す。
【図２】図２は、図１に示す実施形態の下方からの図を示す。
【図３】図３は、図１に示す実施形態の後方からの図を示す。
【図４】図４は、図１に示す実施形態の上方からの図を示す。
【図５】図５は、図１に示す実施形態の側方からの図を示す。
【図６】図６は、図１に示す実施形態の前方からの図を示す。
【図７】図７は、図１に示す実施形態の第２の側面図を示す。
【図８】図８は、応力負担部分の好ましい実施形態の詳細図を示す。
【図９】図９は、図１に示すように、２つ以上のフレームのシステムの背面図を示す。
【図１０】図１０は、伸縮継手によって結合されるフェース部分の側面を有する２つの保持装置を備える保持システムの正面図を示す。
【図１１】図１１は、図９に示すように、伸縮継手によって結合されるフェース部分の側面を有する２つの保持装置を備える保持システムの背面図を示す。
【図１２】図１２は、フェース部分から防壁を取り除いた保持装置の等角図を示す。
【図１３】図１３は、図８に示す応力負担部分のさらなる詳細を示す。
【図１４】図１４は、左側はフレームが下げられた保持装置の図、および、右側はフレームが上げられた装置の図を示す。
【図１５】図１５は、図５の側面図にも示す保持装置の側面三次元図を示す。
【図１６】図１６は、保持システムの前側等角図を示す。
【図１７】図１７は、川岸防壁として並べて結合される複数の保持装置を示す。
【図１８】図１８は、並べて配置される２つの保持装置の間の、伸縮継手のグリップの間の間隙を示す。
【図１９】図１９は、マットおよびカバーで閉じられる図１８の間隙を示す。
【図２０】図２０は、貯蔵タンクのための箱の壁を形成するフレームで配置される４つの保持装置を示す。
【図２１】図２１は、部分的に持ち上げられた防壁を示す。
【図２２】図２２は、上部と可撓性底部とを備えるマットを示す。
【発明を実施するための形態】
【００５４】
図１〜２２に示す実施形態は、ベース部分９と直立支持体２０、４０とを備えるブレース付きフレームを備える保持装置を有する。フレームは、複数の位置で土台２に取り付け可能である。フレームの高さは、高さ調整手段によって調整されるように配置される。装置は、前記フレームによって支持されるフェース８をさらに備える。好ましくは、フェース８は着脱可能なマット７によって覆われる。
【００５５】
フレームの直立支持体２０、４０は、防壁５を受け入れるように配置されるチャネルを提供する。マット７は、ファスナスタッド１１を受け入れて、係合するように寸法が決められる開口を提供する。マット７は、マット７の開口を通過するファスナスタッド１１によって、フェース８に固定される。
【００５６】
フェース８はブレース３によって支えられる。ブレースは調整可能な傾斜部４を備える。調整可能な傾斜部の長さは調整可能である。ブレース３は、調整可能な傾斜部を支持する調整可能な支柱９も備える。調整可能な支柱９の長さも調整可能である。
【００５７】
示された実施形態において、調整可能な傾斜部４は、フェースプレート１２のところで終わる。フェースプレート１２は、リンク１３、低応力ヒンジ７０、およびアングルプレート８０と連結し、応力負担部分１０を形成する。応力負担部分は、フェース８と直接、連通する。他の実施形態において、第２の支柱はフェース８と傾斜部４との中間でもよい。
【００５８】
傾斜部４は、ヒンジ６で支柱９と連結する。
【００５９】
調整可能な傾斜部４の長さは、フェース部分８の調整される高さに対応するように調整可能である。
【００６０】
調整可能な角度部分は、フェース部分とベースとの間でヒンジによって連結され、フェース部分の高さが調整されると、調整可能な傾斜部はこれらのヒンジを中心に回転する。調整可能な傾斜部は、フェース部分を液体および自由な物質に対して支えるまたは立て掛けるために好適である。
【００６１】
図９を参照すると、カバー１４は可撓性底部１５と中間エキステンダ１６とを含み、ゴムまたは可撓性プラスチックで形成される。
【００６２】
図９および１０を参照すると、カバー１４は、防壁５のチャネル５０に位置する。カバー１４は、隣接した保持装置のフェース部分８の間の間隙２５にも位置する。前記チャネル５０は複数のグリップを含み、防壁５およびカバー１４の両方を保持する。
【００６３】
フレームは骨格である。それは細長い部材から形成されて、ブレース３とフェース部分８とを備える。ブレース３は、調整可能な傾斜部４とベース９とを備える。フェース部分８は、底部水平棒２２と、上部水平棒２３と、直立支持体２０とを備える。フェース部分は、フェース部分５の平面にある防壁５も備える。好ましくは、フェース部分８はマット７も備えるが、マットは保持装置の必須の構成要素ではない。図１２および１４は、特にフレームを示す。
【００６４】
フレームは、ベースを形成する細長い調整可能な支柱９からなるベース部分を備える。使用中、調整可能な支柱は、地面と実質的に平行である。調整可能な支柱は、地面に固定される土台２上に支持される。調整可能な支柱９によって構成されるベースの長さは調整可能である。長さは、図５に示すねじジャッキ９１またはその他の長さ伸縮装置によって調整可能である。
【００６５】
保持装置が配置される地面は、荒く、不均等で、岩石が多くてもよい。したがって、岩石の露出部などを回避した位置で地面にねじ止めできるため、基礎アンカー２は便利である。ベースの長さは、それらが地面に配置される基礎アンカーに連結するように調整されてもよい。
【００６６】
フレームおよび基礎アンカー２に取り付けられる高さ調整手段により、各アンカー上のフレームの高さを調整できる。図１２は、ねじジャッキ２０１としての高さ調整手段を示す。
【００６７】
ベース９と土台２との間の各連結に調整ジャッキ２０１が配置される。したがって、ベースの傾斜は、土台が固定される地面に対して調整できる。
【００６８】
フェース部分８がベースに実質的に直交するため、ベース９の傾斜を調整することによっても、地面における土台に対するフェース部分の向きを調整できる。
【００６９】
現場においては、地面には起伏がある傾向がある。高さ地面は、保持装置が使用される実際の環境で変わる傾向があるため、地面で土台に対して配置されるベースの本機能は有用である。使用中、２つ以上の保持装置が横に並べて配置され、隣接した基礎アンカーに固定される。次に、隣接した保持装置のベース９の向きが、各土台の接続点で、ねじジャッキ２０１によって調整される。
【００７０】
隣接した保持装置のベース９は、実質的に平行に調整される。これは、隣接したフェース部分８を調整する効果を有し、ベース９の向きが調整されるとフェース部分８の向きが調整されて、それらは実質的に平行である。これは、各フェース部分８が常にそのベースとほぼ直交するためである。
【００７１】
２つの保持装置をシステムに連結するための伸縮継手は、図１０において、２つの隣接したフェース部分８の間に参照できる。伸縮継手は、図１８および図１９においても詳細に示される。
【００７２】
保持装置のフェース部分８が実質的に平行に調整されるため、隣接したフェース部分８の側面は、伸縮継手による連結のために調整される。それは、隣接した保持装置のベース９の高さおよびそれらのフェース部分８が、ねじジャッキ２０１によって実質的に平行に調整され、それによって、隣接した保持装置の側面は伸縮継手によって結合されてもよいためである。
【００７３】
保持装置は、図１、２、３、５、６、１２、１４、１６、および２０に示すように、易者式基礎アンカー２を備える。使用中、これらの易者式基礎アンカー２は、保持装置のベース９を地面に確実に固定する。コンクリート基礎は必要ない。易者アンカーはねじ込みパイルであり、使用中、土台を提供する。
【００７４】
フェース部分８への液体またはその他の自由流動性物質の圧力に対して防壁５を支えるさらなる手段がある。都合のいいことには、土、集められた岩、砂バックなどが、防壁５を裏込めする。
【００７５】
フレームはフェース部分８を備える。フェース部分の底面は、ベース９の調整可能な支柱に連結される底部水平棒２２を備える。ベースが土台２に連結されているため、使用中、底部水平棒は実質的に地面と平行に調整される。フェース部分の上面は、底部水平棒２２と実質的に平行に調整される上部水平棒２３を備える。フェース部分８の側面は、直立支持体２０、４０である。各直立支持体の一端は、底部水平棒２２に連結される。各直立支持体の他端は、上部水平棒２３に連結される。上部水平棒２３、底部水平棒２２、および直立支持体２０、４０の長方形の配置によって形成される境界面は、フェース部分８の境界面である。
【００７６】
直立支持体２０、４０によって形成されるフェース部分８の側面は、上部水平棒２３または底部水平棒２２の非常に端に連結する必要はない。上部水平棒の端部は、側面に突き出てもよい。
【００７７】
上部水平棒２３は、チャネル５０が通るスロットを備える。底部水平棒も、チャネル５０が通るスロットを備える。この同じチャネル５０は、直立支持体２０、４０に囲まれている。
【００７８】
フェース部分８は、自由流動性物質に対する防壁５を備える。自由流動性物質は、たとえば、水、その他の液体、泥、砂、岩である。自由流動性物質は、保持されていなければ動く任意の自由な物質であるため、自由流動性物質は上記の例に限定されない。
【００７９】
チャネル５０内の防壁５は、図２、３、４、５、１５、および２１で参照可能である。
【００８０】
防壁５は、図２１に示すように、チャネル５０にはめ込み可能な薄板５１によって形成される。薄板は端部間、場合によっては端部の間の空間に配置され、それによって、防壁５はフェース部分を遮断する。
【００８１】
防壁５を形成する薄板５１は、図１２および図２１に示す底部上部水平棒２２のチャネル５０を形成するスロットを貫通する。防壁５を形成する薄板５１は、図１２に示す底部水平棒２２のチャネル５０を形成するスロットを貫通する。
【００８２】
薄板の端部間の接触が防水シールを形成するように配置されるかに応じて、防壁は防水または部分的に防水である。
【００８３】
フェース部分８の上部の近く、たとえば上部水平棒２３の近くまたはその場所で、フェース部分８はマット７を懸架する懸架手段を備え、マット７は、フェース部分の前の懸架手段からのカーテンとして垂れ下がる。図１、１６、および１７は、フェース部分の前部のカーテンとして懸架されるマット７を示す。防水マット７により、フェース部分８は防水性がより高まる。強靭で耐久性のあるマット７により、フェース部分８は、自由な物質に対してより効果的でより長い耐久性のある壁となる。
【００８４】
マット７のための水平上部棒懸架手段は、ファスナスタッド１１である。スタッド１１は上部棒２３から突き出る。マットの上縁に沿って配置される開口がある。これらのファスナスタッド１１は、マット７を保持するために開口から突き出る。
【００８５】
フレームがベースに直交するため、フレームの長さは、ベース９に直交する方向に調整可能である。したがって、フェース部分８がベース９に実質的に直交するため、フェース部分８の高さは、ベース９に直交する方向に調整可能である。ベースは基礎アンカー２に固定される。使用中、基礎アンカー２は地面に穴をあける。したがって、使用中、ベース９は地面と実質的に平行である。しかし、ベース９の高さおよび向きは、ベース９の基礎アンカー２への各連結に配置されるジャッキ２０１によって調整可能である。
【００８６】
使用中、ベース９は地面に実質的に平行であり、フレームおよびフェース部分８はベース９に実質的に直交するため、フレームおよびフェース部分８は地面に対して実質的に垂直である。
【００８７】
これは、図１４の左側の保持装置のフェース部分の高さを、図１４の右側のフェース部分の高さと比較することによって参照可能である。上部水平棒２３がより高く、直立支持体２０、４０の長さがより長いため、図１４の高くなったフェース部分の高さはより高い。
【００８８】
フェース部分８を上下するために、直立支持体を延ばして上部水平棒２３を上げ、縮めて上部水平棒を下げる。ねじジャッキ２１の伸縮可能な動きは、直立支持体２０、４０の伸長および短縮を実現する。
【００８９】
フェース部分が上下されるとき、地面に実質的に直交したままである。フェース部分が上下されるとき、基礎アンカー２は地面で移動しないように固定される。
【００９０】
フェース部分の高さが増加または減少するとき、フェース部分が実質的に垂直に維持されるように、調整可能な傾斜部４の長さは調整可能であり、調整可能な傾斜部４をベースに取り付けるヒンジ６のまわりを回転可能である。調整可能な傾斜部４の長さは、ねじジャッキ４１などの伸縮可能な機構またはその他の長さ調整機構で調整可能である。
【００９１】
傾斜部４はフェース部分８をベース９に連結する。ねじジャッキ４１は傾斜部４内に構成される。
【００９２】
直立支持体２０、４０、調整可能な傾斜部４、およびベースの調整可能な支柱９はすべて、ねじジャッキなどの長さ調整手段を備える。この種の長さ調整手段の利点は、長さが調整されると、支持体、部分、および支柱が、それらの軸に沿ってフレーム重量および液圧の負荷を支持することができるということである。
【００９３】
したがって、地面上の上部水平棒の高さが調整可能であるため、フレームの高さは調整可能であり、特にフェース部分８の高さは調整可能である。上部棒の高さを上下することは、直立支持体を伸長および短縮することによって実現される。直立支持体２０、４０は、それらの長さを調整するための望遠鏡機構を備える。これは、たとえば図１および１４の直立支持体２０、４０の底部で、参照可能なねじジャッキ２１によって示される。
【００９４】
フェース部分８は、たとえば図１、１３、１４、１５、および１６で参照可能である細長い伸縮棒の形態の長さ調整可能な角度部分４によって支えられる。各伸縮棒４の一端は、上部水平棒２３の近くでそのフェース部分８に連結される。伸縮棒は、フェース部分８から下に離れるように角度をつけられる。好ましくは、マット７は垂れ下がり、前側フェース部分８および伸縮棒４は、フェース部分の反対の側面から離れるように伸長する。
【００９５】
調整可能な傾斜部４は、調整可能な傾斜部の長さを調整するためのねじジャッキ４１を備える。
【００９６】
各長さ調整可能な角度部分４は、フェース部分に連結していない反対側の端部を有する。反対側の端部はベース９に連結している。図１および１１に示すベース９は、使用中、地面に実質的に平行である２つの細長い長さ調整可能な支柱を備える。使用中、これらのベース棒９は、地面に固定される基礎アンカー２に固定される。
【００９７】
側面図である図５、図７、図１４、および図１５に示すように、フェース部分８の直立支持体２０、４０、細長い伸縮する長さ調整可能な角度部分４、およびベースの調整可能な支柱９は、三角またはほぼ三角である形を形成する。フェース部分８が三角形の一辺であり、細長い伸縮する長さ調整可能な角度部分４は第２の辺であり、ベースの調整可能な支柱９は第３の辺である。
【００９８】
ヒンジ６は、細長い伸縮する長さ調整可能な角度部分４をベースの調整可能な支柱９に連結する。
【００９９】
フェース部分８の高さを調整するために、上部水平棒２３は上下されて、フェース部分の上側部分は上下される。フェース部分の上側部分が上下されると、細長い伸縮する長さ調整可能な角度部分４は伸長しなければならない。これは、細長い角度部分４およびヒンジ６の伸縮可能な動きによって達成される。細長い角度部分４を伸縮する手段は、その中に構成されるねじジャッキ４１である。
【０１００】
フェース部分８の上側部分の上下動を容易にするために、細長い角度部分４をフェース部分８の上側部分に連結する特別に設計された応力負担部分１０がある。
【０１０１】
応力負担部分１０は、図１２の等角図および図１３のクローズアップにおいて、側面図で参照可能である。応力負担部分１０は低応力ヒンジ７０を備える。応力負担部分は２枚の板も備える。一方は、フェース部分８を支えるフェースプレート１２である。他方は、細長い調整可能な傾斜部４の端部を支えるアングルプレート８０である。
【０１０２】
応力負担部分の利点は、図１３および１４に示すように、その低応力ヒンジ７０により、フェース部分８の上側部分が垂直に動くことが可能となり、一方、細長い調整可能な傾斜部には、三角形の斜辺の角度および長さの変化に対応するように、回転および伸縮する自由があることである。
【０１０３】
応力負担部分の第２の利点は、フェースプレート１２とアングルプレート８０との間の開先角度にまたがるリンク１３によって提供される。リンクは、フェース部分の上側部分が上下された後に、開先角度をロックする手段である。
【０１０４】
水圧がフェース部分８の上側部分を細長い調整可能な傾斜部３に対して押すとき、負荷の多くは低応力ヒンジ７０よりもむしろリンク１３によって伝達される。従来のヒンジは、水圧によって過度の圧力を加えられる。有利には、低応力ヒンジ７０は、過度の圧力が加えられない。
【０１０５】
マット７の長さは垂直方向に調整可能である。フレーム高さが上下されると、それに応じて、マット７の長さが調整される。
【０１０６】
マットの長さを調整する１つの実施形態において、それは上部水平棒２３から巻き上げおよび巻き下げられる。マット７の上縁は、水平上部棒２３の長縁に取り付けられ、使用中、マット７は、巻かれた部分が地面に達するまで広げられる。
【０１０７】
図２２に示す別の実施形態において、マット７は上部３０と可撓性底部３８とを備える。上部３０は可撓性シートまたは堅固な板である。それは可撓性底部の上縁に重なる下縁を有する。上部は、可撓性底部の上側部分をカバーしながら滑り落ちる。その重なりは、上部３０と可撓性底部３８との間に水密またはほぼ水密のシールを提供し、水がフェース部分８を通って漏れることは防止される。二部式マットは、フェース部分８の上部の長縁から下がるカーテンを形成する。
【０１０８】
マット７の高さをさらに伸長するために、それは上部３０と可撓性底部３８との間に中間エキステンダ３９を備える。中間エキステンダは、防水で、その上の上部およびその下の可撓性底部と重なる平坦な板または可撓性シートである。重なりは、フェース部分８全体で水密またはほぼ水密のシールを形成する。
【０１０９】
金属部品を一緒に連結する継手は、向かい合って押される２つのフランジ２６と、フランジ面の間の可撓性および耐食性のあるパッド２７とを備える。それで、継手は強靭で、もろくなく、さびず、腐食しない。好ましくは、フランジは金属強度のものから作られる。パッドは、厚さ約１０ミリメートル〜２０ミリメートルの可撓性ポリマーである。フランジ２６とパッド２７とを備えるこのような継手は、図５において、ベースの調整可能な支柱９と基礎アンカー２との間に示される。別のこのようなフランジたわみ継手は、細長い調整可能な傾斜部４のねじジャッキ４１の一部、および、ベース内に構成される調整可能な支柱９のねじジャッキ９１の一部を形成する。
【０１１０】
パッドのための好適なポリマーは、たとえば、可撓性および耐食性のある天然ゴム、および合成プラスチック、および任意のその他の材料である。
【０１１１】
調整可能な傾斜部３は細長い棒で、伸長手段４を備える。
【０１１２】
伸縮継手は、２つの保持装置が並べて配置されて、伸長された防壁を形成するとき、フェース部分８の側面を連結する。伸縮継手により、連結されるフレームの間の距離は、温度によって伸縮できる。伸縮継手は、図１８および図１９に示される。
【０１１３】
図９、図１０、図１１、図１７、および図２０は、複数の保持装置を配置し、より長い擁壁または貯蔵タンクの形成を可能とする方法を示す。各保持装置は、直立支持体２０の近くで側面を有するフェース部分８を有する。フェース部分の側面は隣接したフェース部分の側面に結合され、それによってより長い擁壁または貯蔵タンクを形成する。
【０１１４】
フェース部分８の側面は、弾性で防水のカバー１４の端部を握持するための手段を備える。これらは、フェース部分の側面から横に伸長するグリップ１８によって示される。グリップ１８は、つかみ具の間でカバー１４を固定する。好ましくは、カバー１４は可撓性シートである。フェース部分の側面はすぐ近くにあるが、接触はしていない。隣接したフレームの側面の間に間隙２５がある。
【０１１５】
カバー１４は隣接したフェース部分の側面間の間隙にまたがり、それによって間隙をカバーする。２５。カバーが弾性であるため、間隙は、暑い天気および寒い天気によって自由に伸縮する。好ましくは、カバーは防水で、弾性で、強靭で、可撓である。
【０１１６】
有利には、カバーは可撓性であるため、平行でない隣接したフェース部分８の間の間隙２５をカバーするために曲がる。したがって図２０のように、フレームが、貯蔵タンク３２を形成するために正確な角度で配置されるところで、側縁間の間隙は可撓カバーによってカバーされ、水が間隙を通過することを防止する。
【０１１７】
握持手段およびシートへの連結手段の種類および配置に応じて、伸縮継手は、１００の防水である必要はない。
【０１１８】
カバーの特性は、構造材料の費用制約条件において実用的である範囲で、弾性で、可撓で、伸ばすことができて、曲げられて、強靭で、防水であるということである。防水シートに好適な材料はポリマーであるが、固有特性としてまたは成形によって必要な特性を有するその他の種類の材料も好適である。防水シートに好適な材料には、ゴムおよびプラスチックなどがあり、材料選択における当業者に公知のその他の好適な材料がある。
【０１１９】
図２０は、４つの保持装置を備える貯蔵タンク３２を示す。フェース部分の側縁は、伸縮継手によって連結されている。フェース部分の上部の長縁に沿って取り付けられるマット７は、各フェース部分に取り付けられる。マットはカーテンのように垂れ下がる。カーテンは、流動液体または静止液体を保持するための防水壁の働きをする。貯蔵タンク３２は、水、石油、油、およびその他の液体の保持に好適である。貯蔵タンク３２は、雪、土、岩、および汚物、およびその他の自由な物質の保持にも好適である。
【０１２０】
マットの特性は、構造材料の費用制約条件において実用的である範囲で、可撓で、強靭で、防水であるということである。防水シートに好適な材料はポリマーであるが、固有特性としてまたは成形によって必要な特性を有するその他の種類の材料も好適である。マットに好適な材料には、ゴムおよびプラスチックなどがあり、材料選択における当業者に公知のその他の好適な材料がある。
【０１２１】
図１７は流れる川を示す。川岸は、並んで配置されるいくつかの保持装置のそれぞれの上部の長縁から懸架される吊りマット７によって形成される。隣接するマットは重なる側縁を有する。重なりは隣接したマット間のシールを形成する。したがって、マットは流水を通さない川岸を形成する。
【０１２２】
重い雪堤は除雪機または地吹雪によってフェースに対して押し上げることができるため、保持装置は雪を保持することも可能である。保持装置は、堤防などのおよび地滑りに耐えるための立体の地面を保持することも可能である。
【０１２３】
図２０に示すタンクで保持される任意の液体または自由な物質は、タンクの壁を形成するマットを押す静水圧を有する。図１７に示す川に流れている水は、川岸を形成するマットを押す圧力を有する。
【０１２４】
また、マットを吊すフェース部分は、液体および自由な物質によって加えられる圧力に対してマットを抑える骨格構造を提供する。
【０１２５】
自由な物質は、保持装置のフェース部分８によって保持されることなく、その形または位置を保持できない任意の材料を意味する。自由な物質は自由流動性物質である。液体は自由流動性物質である。
【０１２６】
マットは、フェース部分の底部水平棒、フェース部分の上部水平棒、およびフェース部分の直立支持体も圧迫する。マット７は、チャネル５０内に制止される薄板５１からなる防壁５も圧迫する。本発明は単なる例として説明されており、発明の範囲から逸脱することなしに、上記実施形態に対する変形形態が作られてもよいことは理解されるであろう。
【０１２７】
次に、上記の説明に関して、本発明の部品の最適な寸法関係は、寸法、材料、形状、形態、機能、ならびに操作、組立、および使用の方法における変形形態を含めるために、当業者には明瞭および明白であると容易に考えられ、図面に示され、明細書に記載されるものとのすべての均等な関係が、本発明に含まれることが意図されると理解される。
【０１２８】
したがって、上記は本発明の原理の実例のみであると考えられる。さらに、多数の変更形態および変化形態が当業者には容易に想到されるため、本発明を図示および説明された正確な構造および操作に限定することは所望ではなく、したがって、すべての好適な変更形態および均等物が使用されてもよく、それらは本発明の範囲内である。
【符号の説明】
【０１２９】
４  調整可能な傾斜部（伸長手段４１を有する）
４１  調整可能な傾斜部  −  伸長手段
９  ベース  −  調整可能な支柱
９１  ベース  −  調整可能な支柱  −  伸長手段
２０１  ベース  ＝  ジャッキング機構
３  ブレース（＝４および９および６および１０）
１４  伸縮継手  −  カバー  ＝  可撓性シート
１５  伸縮継手  −  カバー  ＝  可撓性底部
１６  伸縮継手  −  カバー  −  中間エキステンダ
２５  伸縮継手  −  フレーム側縁間の間隙
１８  伸縮継手  −  シート側縁のグリップ
８  フェース部分
２２  フェース部分  −  底部水平棒
２３  フェース部分  −  上部水平棒
１１  フェース部分  −  上部水平棒  −  ファスナスタッド
２０、４０  フェース部分  −  直立支持体
５０  フェース部分  −  直立支持体  −  チャネル
５  フェース部分  −  直立支持体  −  チャネル  −  防壁
５１  フェース部分  −  直立支持体  −  チャネル  −  防壁  −  薄板
２１  フェース部分  −  直立支持体  −  ねじジャッキ  −  高さ調整手段
２  土台
６  ヒンジはベースの調整可能な支柱をブレースの調整可能な傾斜部に連結する
３２  貯蔵タンク
２６  継手  −  フランジ
２７  継手  −  パッド
７  マット
３８  マット  −  可撓性底部
１６  マット  −  中間エキステンダ
２９  マット  −  隣接したものの重なり
３０  マット  −  上部
３１  マット  −  上縁
８０  応力負担部分  −  アングルプレート
１２  応力負担部分  −  フェースプレート
１３  応力負担部分  −  リンク
７０  応力負担部分  −  低応力ヒンジ
１０  応力負担部分
【図１】
2015535040.tif 000003
【図２】
2015535040.tif 000004
【図３】
2015535040.tif 000005
【図４】
2015535040.tif 000006
【図５】
2015535040.tif 000007
【図６】
2015535040.tif 000008
【図７】
2015535040.tif 000009
【図８】
2015535040.tif 000010
【図９】
2015535040.tif 000011
【図１０】
2015535040.tif 000012
【図１１】
2015535040.tif 000013
【図１２】
2015535040.tif 000014
【図１３】
2015535040.tif 000015
【図１４】
2015535040.tif 000016
【図１５】
2015535040.tif 000017
【図１６】
2015535040.tif 000018
【図１７】
2015535040.tif 000019
【図１８】
2015535040.tif 000020
【図１９】
2015535040.tif 000021
【図２０】
2015535040.tif 000022
【図２１】
2015535040.tif 000023
【図２２】
2015535040.tif 000024
【国際調査報告】
2015535040.tif 000025
2015535040.tif 000026
2015535040.tif 000027